(57)【要約】      （修正有）【課題】安定かつ耐久力のあるヒンジを提供する。【解決手段】機器本体に取り付け固定される固定ブラケット１と；該固定ブラケット１に回転自在に支持されると共に、開閉部材に取り付け固定される回転軸２と；上記固定ブラケット１に固定されると共に前記回転軸２を回転可能に挿通させる固定側制御部材４aと、該回転軸２と共に回転し軸方向に移動可能な回転側制御部材４bから成るクリック機能付きトルク制御手段４と；該回転側制御部材４bを固定側制御部材４aの方向に付勢する弾性手段５と；から構成する。【選択図】        図１
2005188542.tif 000002
【特許請求の範囲】
【請求項１】
ノート型パソコン等の機器本体に対して、その蓋やディスプレイ、モニター等の開閉部材を開閉自在に連結すると共に、該開閉部材を任意の開閉状態に保持し、しかも、開閉部材の閉止状態を維持するためのクリック停止手段を有するヒンジにおいて；上記機器本体に取り付け固定される固定ブラケットと；該固定ブラケットに回転自在に支持されると共に、上記開閉部材に取り付け固定される回転軸と；上記固定ブラケットに固定されると共に前記回転軸を回転可能に挿通させる固定側制御部材と、該回転軸と共に回転し軸方向に移動可能な回転側制御部材から成るクリック機能付きトルク制御手段と；該回転側制御部材を固定側制御部材の方向に付勢する弾性手段と；から構成され、上記固定側制御部材の特定の回転軌跡上の特定位置にクリック凹部またはクリック凸部を形成すると共に、上記回転側制御部材の上記特定の回転軌跡上の上記特定位置に上記クリック凹部またはクリック凸部に係脱するクリック凸部またはクリック凹部を形成し、また、上記固定側制御部材の他の回転軌跡上の他の位置にクリック凹部またはクリック凸部を形成すると共に、上記回転側制御部材の上記他の回転軌跡上の他の位置に上記クリック凹部またはクリック凸部に係脱するクリック凸部またはクリック凹部を形成することを特徴とするヒンジ。
【発明の詳細な説明】
【技術分野】
【０００１】
本発明は、ノート型パソコンやビデオカメラ等の機器本体に対して、その蓋やディスプレイ、モニター等の開閉部材を開閉自在に連結すると共に、該開閉部材を任意の開閉状態に保持し、しかも、開閉部材の閉止状態を安定して維持するためのクリック停止手段を有するヒンジに関するものである。
【背景技術】
【０００２】
従来の、この種のヒンジとしては、例えば、特許文献１に示すように、相互に摩擦回転する取付部材とフリクションワッシャーの同一回転軌跡上に複数の凹部と凸部を形成して、所定の回転角でクリック停止するように構成したものがある。
【０００３】
しかし、上記特許文献１の従来技術では、所定の回転角度（例えば、回転部材が閉じた状態の開度０°）のみクリック停止させるために、１組の凹部と凸部を形成しようとすると、構造上に無理な偏った力が働くため、変形や摩耗を招き易く、安定かつ耐久力のあるヒンジを実現することは困難であった。
【特許文献１】特開平１１−２７２１８７号公報
【発明の開示】
【発明が解決しようとする課題】
【０００４】
本発明の解決しようとする課題は、上記従来のヒンジの問題点を解消することができ、安定かつ耐久力のあるヒンジを実現することにある。
【課題を解決するための手段】
【０００５】
本発明は、ノート型パソコン等の機器本体に対して、その蓋やディスプレイ、モニター等の開閉部材を開閉自在に連結すると共に、該開閉部材を任意の開閉状態に保持し、しかも、開閉部材の閉止状態を維持するためのクリック停止手段を有するヒンジにおいて；上記機器本体に取り付け固定される固定ブラケットと；該固定ブラケットに回転自在に支持されると共に、上記開閉部材に取り付け固定される回転軸と；上記固定ブラケットに固定されると共に前記回転軸を回転可能に挿通させる固定側制御部材と、該回転軸と共に回転し軸方向に移動可能な回転側制御部材から成るクリック機能付きトルク制御手段と；該回転側制御部材を固定側制御部材の方向に付勢する弾性手段と；から構成され、上記固定側制御部材の特定の回転軌跡上の特定位置にクリック凹部またはクリック凸部を形成すると共に、上記回転側制御部材の上記特定の回転軌跡上の上記特定位置に上記クリック凹部またはクリック凸部に係脱するクリック凸部またはクリック凹部を形成し、また、上記固定側制御部材の他の回転軌跡上の他の位置にクリック凹部またはクリック凸部を形成すると共に、上記回転側制御部材の上記他の回転軌跡上の他の位置に上記クリック凹部またはクリック凸部に係脱するクリック凸部またはクリック凹部を形成することを特徴とする。
【発明の効果】
【０００６】
本発明のヒンジは、安定かつ耐久力のあるヒンジを実現することができる。
【発明を実施するための最良の形態】
【０００７】
図１は、本発明ヒンジの実施例を示す要部の分解斜視図であり、１は固定側ブラケットであって、機器本体（図示せず）に取り付け固定されている。２は回転軸であって、機器の開閉部材（図示せず）に取り付け固定されている。該回転軸２の端部には、取付軸部２ａとフランジ部２ｂが形成されていて、該取付軸部２ａは上記固定側ブラケット１の取付孔１ａに挿設され、フランジ部２ｂがワッシャー３を介して、固定側ブラケット１の側面に当接する。
【０００８】
４はクリック機能付きトルク制御手段であって、固定側制御部材４ａと回転側制御部材４ｂから構成されている。図２、図３および図４からも明らかなように、固定側制御部材４ａは軸孔４ａ−１と摩擦面４ａ−２を有し、該摩擦面４ａ−２の外周側には外側クリック凹部４ａ−３が形成されていると共に、内周側には内側クリック凹部４ａ−４が形成されている。これら外側クリック凹部４ａ−３と内側クリック凹部４ａ−４の各回転軌跡は異なっていて、重ならないようになっている。上記軸孔４ａ−１には上記回転軸２の取付軸部２ａが回転自在に挿通する。４ａ−５は固定ピンであって、上記固定側ブラケット１に形成されたピン孔１ｂに嵌挿される。
【０００９】
また、上記回転側制御部材４ｂも軸孔４ｂ−１と面４ｂ−２を有し、該面４ｂ−２の外周側には外側クリック凸部４ｂ−３が形成されていると共に、内周側には内側クリック凹部４ｂ−４が形成されている。該軸孔４ｂ−１には上記回転軸２の取付軸部２ａが一体的に回転するように挿設される。該外側クリック凸部４ｂ−３は、上記固定側制御部材４ａの外側クリック凹部４ａ−３と同一回転軌跡上にあるため相互に嵌合して、クリック停止機能を発揮するようになっている。また、上記内側クリック凸部４ｂ−４も、上記固定側制御部材４ａの内側クリック凹部４ａ−４と同一回転軌跡上にあるため相互に嵌合する。なお、上記外側クリック凹部４ａ−３を上記回転側制御部材４ｂに、また、上記外側クリック凸部４ｂ−３を固定側制御部材４ａに形成したり、上記内側クリック凹部４ａ−４を上記回転側制御部材４ｂに、また、上記内側クリック凸部４ｂ−４を固定側制御部材４ａに形成してもよい。
【００１０】
図１において、５は皿バネであって、上記回転側制御部材４ｂを上記固定側制御部材４ａに弾性的に押圧する。６は押え用ワッシャーである。
【００１１】
本実施例のヒンジは以上のように構成されているので、開閉部材が閉じている時（開度０°）には、図５（Ａ）に示すように、上記外側クリック凸部４ｂ−３が外側クリック凹部４ａ−３に嵌合して、クリック停止機能を発揮する。なお、この図５（Ａ）では隠れていて見えないが、内側クリック凸部４ｂ−４も同時に内側クリック凹部４ａ−３に嵌合している。
【００１２】
開閉部材を開いて上記回転側制御部材４ｂを回転させると、上記皿バネ５の押圧力に抗して、上記外側クリック凸部４ｂ−３が外側クリック凹部４ａ−３から外れると同時に、上記内側クリック凸部４ｂ−４も内側クリック凹部４ａ−３から外れて、それぞれのクリック凸部４ｂ−３および４ｂ−４の先端面が摩擦面４ａ−２に摩擦係合してその摩擦力により開閉部材が任意の角度位置に保持される。
【００１３】
図５（Ｂ）に示すように、上記回転側制御部材４ｂが更に回転して、開度１８０°になっても、上記外側クリック凸部４ｂ−３が嵌合できる凹部が、上記固定側制御部材４ａの摩擦面４ａ−２の外周側に形成されていないので（図２（Ａ）を参照）、嵌合してクリック停止機能が生じることはない。なお、上記内側クリック凸部４ｂ−４に対しても、嵌合できる凹部が、上記固定側制御部材４ａの摩擦面４ａ−２の内周側に形成されていない。（図２（Ａ）を参照）
【００１４】
本発明は、上記実施例に限定するものではなく、要するに、上記固定側制御部材４ａに対する上記回転側制御部材４ｂの回転角度が０°（開閉部材の開度０°）などの特定の回転位置でのみ、クリック停止機能が働く構造であればいずれでもよい。
【図面の簡単な説明】
【００１５】
【図１】本発明のヒンジの一実施例の要部の分解斜視図である。
【図２】図１の固定側制御部材（Ａ）および回転側制御部材（Ｂ）の構造説明図である。
【図３】図１の固定側制御部材の正面図（Ａ）、その矢視イから見た側面図（Ｂ）およびロ−ロ断面図（Ｃ）である。
【図４】図１の回転側制御部材の正面図（Ａ）、そのハ−ハ断面図（Ｂ）および矢視ホから見た側面図（Ｃ）である。
【図５】固定側制御部材および回転側制御部材による作用説明図（Ａ）（Ｂ）である。
【符号の説明】
【００１６】
１    固定側ブラケット
１ａ  取付孔
１ｂ  ピン孔
２    回転軸
２ａ  取付軸部
２ｂ  フランジ部
３    ワッシャー
４    クリック機能付きトルク制御手段
４ａ  固定側制御部材
４ａ−１  軸孔
４ａ−２  摩擦面
４ａ−３  外側クリック凹部
４ａ−４  内側クリック凹部
４ａ−５  固定ピン
４ｂ  回転側制御部材
４ｂ−１  軸孔
４ｂ−２  面
４ｂ−３  外側クリック凸部
４ｂ−４  内側クリック凸部
５    皿バネ
６    押え用
【図１】
2005188542.tif 000003
【図２】
2005188542.tif 000004
【図３】
2005188542.tif 000005
【図４】
2005188542.tif 000006
【図５】
2005188542.tif 000007